(57)【要約】【課題】  耳かけ紐を有するマスクを装着した際、マスク紐による耳裏の不快感をなくし、尚且つデザイン性且つファッション性があり、アクセサリー及び装飾としての機能及び効果も兼ね備えた、耳かけマスク紐留め具を提供する。【解決手段】  マスク紐と容易に着脱可能な連結部分を両端に有した帯体をマスクの耳紐に取り付けることによって、耳かけ紐を有するマスクを装着した際に、マスクの耳紐が耳裏に接触することがなくなり、マスク紐による耳裏の不快感を防止する。帯体及びその応用形状を採用することにより、デザイン性且つファッション性があり、アクセサリー及び装飾としての機能及び効果も兼ね備えた、耳かけマスク紐留め具を提供する。【選択図】図１
0003155248.tif 000002
【実用新案登録請求の範囲】
【請求項１】
マスク紐と容易に着脱可能な連結部分を両端に有した帯体であり、その連結部分は連結部品を結合した時、ループ形状を形成する耳かけマスク紐留め具
【請求項２】
アクセサリー及び装飾としての機能及び効果も兼ね備えた、請求項１の耳かけマスク紐留め具
【考案の詳細な説明】
【技術分野】
【０００１】  耳かけ紐を有するマスクを装着した際の、マスク紐による耳裏の不快感をなくし、尚且つデザイン性且つファッション性があり、アクセサリー及び装飾としての機能及び効果も兼ね備えた、耳かけマスク紐留め具に関するものである。
【背景技術】
【０００２】  花粉症や感染症対策として、耳かけ紐を有する市販のマスクを長時間及び長期間使用する人々が増加している。長時間使用することにより、マスクの耳紐をかける耳裏に、擦れ及び圧迫による不快感が発生する。
【先行技術文献】
【特許文献】
【０００３】
【特許文献１】実開平０７−０００３８８  公報
【特許文献２】特開２００６−１５８９０５  公報
【特許文献３】実用新案登録第３１１７２０９号  公報
【特許文献４】実用新案登録第３１４７４６２号  公報
【考案の概要】
【考案が解決しようとする課題】
【０００４】  耳かけ紐を有するマスクを装着した際に、耳裏に生ずる擦れ及び圧迫による不快感を防止する考案としては、以下のものがある。実開平０７−０００３８８では、マスクの構造及び素材の改良、特開２００６−１５８９０５では、マスク紐へ緩和具を取り付け、また、実用新案登録第３１１７２０９号では、マスク紐の長さを調節することで不快感を防止している。しかし、いずれもマスク紐が耳裏に接触することは変わらず、完全な対応策にはなっていない。【０００５】  また、花粉症や感染症対策の様に、長期間マスクを使用する場合、マスクの交換頻度は多くなる。したがって、マスク形状の改良により製造コストが増加した場合には、使用者の購入費用負担が増となるため、好ましくない。【０００６】  これらの前提を考慮し、マスクの耳紐に延長帯を取り付け、耳裏に直接負担がかからない様にすることを考えた。先行技術である実用新案登録第３１４７４６２号においては、マスクの密着性を増すという目的で、延長紐が採用されている。しかし、デザイン性且つファッション性は配慮されておらず、デザイン性且つファッション性を重視する傾向が強い女性全般にとって、装着に抵抗を感じさせる。また、構造上、後頭部に紐及び摺動装置が垂れ下がるため、女性など毛髪が長い場合には、絡まるなどの問題が発生する。【０００７】  マスクの耳紐に延長帯を取り付けることで、マスクの耳紐による耳裏への不快感を防止し、尚且つ性別を問わず装着に抵抗を感じさせない様、デザイン性且つファッション性があり、アクセサリー及び装飾としての機能及び効果も兼ね備えた帯体にすることによって、問題点を解決しようとするものである。
【課題を解決するための手段】
【０００８】  本考案は、マスク紐と容易に着脱可能な連結部分を両端に有した帯体であり、その連結部分は連結部品を結合した時、ループ形状を形成する。これをマスクの耳紐に取り付けることによって、問題点を解決している。尚且つデザイン性且つファッション性があり、アクセサリー及び装飾としての機能及び効果も兼ね備えた帯体である。
【考案の効果】
【０００９】  本考案のマスク紐留め具によって、マスクを装着した際、マスク紐が耳裏に接触することがなくなり、マスクの耳紐による耳裏への不快感を防止できる。【００１０】  また、マスク紐からマスク紐留め具が着脱可能であるため、マスクを交換した際、繰り返し使用可能であり、尚且つ耳かけ紐マスク全般に使用できるため、経済的である。【００１１】  また、帯体であることにより、製造工程において、多種多様の材質、形状が選択できる。このため、自由度の高いデザインが採用、作成でき、マスク紐留め具のデザイン性が幅広くなるので、選択肢が増え、ファッション性が高くなり、アクセサリー感覚で楽しむ事ができる。【００１２】  逆に目立たないデザインとすれば、装着していることを意識させないことも可能である。【００１３】  また、構造がシンプルなため、作成キットの形で提供することも可能である。これにより、個人の好みの長さで作成でき、尚且つデザインも個人の好みでアレンジすることが可能となる。
【図面の簡単な説明】
【００１４】
【図１】本考案の実施例であり、マスク紐留め具を装着した状況を、使用者の後頭部側から見た様態を示す正面図である。
【図２】マスク紐留め具をマスクから取り外した状態を示す斜視図である。
【図３】マスク紐留め具の両端の連結部品を結合した状態を示す側面図である。
【図４】マスク紐留め具の両端の連結部品の結合を解除した状態を示す側面図である。
【図５】マスク紐留め具の帯体の応用形状を示す正面図である。
【考案を実施するための形態】
【００１５】  マスク紐と容易に着脱可能な連結部分を両端に有した帯体をマスク紐に取り付け、マスク紐が耳裏に接触しないように装着する。
【実施例】
【００１６】  以下、添付図面に従って一実施例を説明する。実施例は連結部品３としてスナップボタンを用いた場合である。マスク紐留め具の帯体２の両端にある連結部品３の結合を解除した状態で、片側のマスク紐に通し、マスク紐留め具の帯体２をループ形状にして連結部品のオス部３ａとメス部３ｂで結合する。この時、連結部品のオス部３ａが外側になる。その後、マスクを通常の手順で装着した後、マスク紐留め具の帯体２のもう一方の端を、取り付けていないもう一方のマスク紐に通し、ループ形状にして連結部品のオス部３ａとメス部３ｂで結合する。この時、連結部品のオス部３ａが外側になる。図１は装着した状態を示している。【００１７】  結合部品はどのような構造でも良いが、容易に着脱でき、尚且つ毛髪に絡みにくい構造のものが良い。【００１８】  帯体２は多種多様の材質を使用する事が可能である。例えば布、柔らかいプラスチック、皮、ファーなどが考えられる。【００１９】  また、図５は帯体２の応用形状の一実施例である。帯体２を帯状ではなく、花弁形、ハート形などの模様型にしたり、帯体２にビーズや、ライトストーン、ラメ等の装飾を施し、デザイン性且つファッション性を向上させることも可能である。【００２０】  帯体２の長さは、市販の製品にする場合は、衣料品のサイズ選択と同様に、Ｓ，Ｍ，Ｌなどの基本長を設定することで、使用者のニーズに合わせることができる。【００２１】  上記のようなマスク紐留め具を、容易に作成できるよう、基本構成部品がセットになったキットも考えられる。基本構成部品とは、帯体及び連結部品、作成手順書などである。具体例としては、帯布、布用接着ボンド、スナップボタン、作成の手順書及び型紙などである。キット販売の場合は、基本長を個人の好みに合わせ、微調整も可能である。
【符号の説明】
【００２２】  １．耳かけ紐を有するマスクのマスク紐。
２．マスク紐留め具の帯体。
３．マスク紐留め具の連結部品。３ａは連結部品のオス部、３ｂは連結部品のメス部。
【図１】
0003155248.tif 000003
【図２】
0003155248.tif 000004
【図３】
0003155248.tif 000005
【図４】
0003155248.tif 000006
【図５】
0003155248.tif 000007